(57)【要約】      （修正有）【課題】開閉ロッドが引き引き上がってフックの開口部が開放することのないように改良したナスカンスナップを提供する。【解決手段】一端部にＣ字状のフック１を形成したナスカン本体２と、ナスカン本体２の他端部に取付軸６によって取り付けられたリード連結用のリング３と、ナスカン本体２にその長手方向にスライド自在で回転自在に支持され、常時はバネ４により付勢されてロッド下端がＣ字状フック１の上向きに突出するフック先端部に弾接されることによりフック１の開口部１０を閉鎖する開閉ロッド５とからなり、フック１に接続カン１４を介して犬等のペットＰの首輪１５に接続するようにしたナスカンスナップにおいて、フック１の上向きに突出するフック先端部に、フック開口部１０内へ横向きに突出する接続カン抜け出し防止用の障壁部１６を設ける。【選択図】図２
0003174476.tif 000002
【実用新案登録請求の範囲】
【請求項１】
一端部にＣ字状のフックを形成したナスカン本体と、ナスカン本体の他端部に頭部付き取付軸によって取り付けられたリード連結用のリングと、ナスカン本体にその長手方向にスライド自在で回転自在に支持され、常時はバネにより付勢されてロッド下端がＣ字状フックの上向きに突出するフック先端部に弾接されることによりフックの開口部を閉鎖する開閉ロッドとからなり、前記フックにＤカン等の接続カンを介して犬等のペットの首輪や胴輪を接続するようにしたナスカンスナップにおいて、
前記フックの上向きに突出するフック先端部には、フックの開口部内へ横向きに突出する接続カン抜け出し防止用の障壁部を設けたことを特徴とするナスカンスナップ。
【請求項２】
前記開閉ロッドを前記接続カン抜け出し防止用の障壁部と同軸上に設けたことを特徴とする請求項１に記載のナスカンスナップ。
【請求項３】
前記取付軸の頭部と前記リングの所要部に設けた軸挿通孔との間にワッシャーを介在させたことを特徴とする請求項１又は２に記載のナスカンスナップ。
【請求項４】
前記取付軸は、ナスカン本体と一体に形成されたものからなることを特徴とする請求項１〜３の何れかに記載のナスカンスナップ。
【請求項５】
前記取付軸は、ナスカン本体にねじ込まれるボルトからなることを特徴とする請求項１〜３の何れかに記載のナスカンスナップ。
【考案の詳細な説明】
【技術分野】
【０００１】
本考案は、犬等のペットの首輪や胴輪に引き紐を連結するためにその首輪や胴輪に引っ掛けるのに主として使用されるナスカンスナップに関するものである。
【背景技術】
【０００２】
図４は従来のナスカンスナップを示したもので、(a) は正面図、(b) は側面図である。このナスカンスナップ２０Ｎは、一端部にフック１を一体に形成したナスカン本体２と、ナスカン本体２の他端部に取付軸６によって取り付けられたリード（引き紐）１３連結用のリング３と、ナスカン本体２にその長手方向にスライド自在で回転自在に支持されていて、常時はコイルバネ４により付勢されてフック１の開口部１０を閉鎖する開閉ロッド５と、この開閉ロッド５に基軸部９を介して一体に突設されていて、その基軸部６がナスカン本体２に長手方向に形成されたガイド用スリット７に沿ってスライド自在のロッド開放操作用把手８とからなるもので、図示の状態からコイルバネ４の付勢力に抗して把手８で開閉ロッド５を押し上げることにより、フック１の開口部１０を開放させて、図５に示すように、フック１にＤカン等の接続カン１４を介してペットＰ（例えば犬）の首輪１５を接続するようになっている。
【考案の開示】
【考案が解決しようとする課題】
【０００３】
上記のような従来のナスカンスナップ２０Ｎでは、ペットＰの首に首輪１５を付けて係留したり散歩させたりする時に、リング３に連結したリード１３がナスカン本体２を常に引っ張っている間は、首輪１５を接続する接続カン１４が図５の実線図示のような位置にあるため問題ないのであるが、犬がぐるぐる回るなどの回転運動をしてリード１３にある程度の弛みができると、接続カン１４が、図５の実線図示位置から仮想線図示のように、Ｃ字状フック１の上向きに突出するフック先端部１ａをよじれ上がって、開閉ロッド５の突端部（下端部）に干渉し、この開閉ロッド５を引き上げてフック１の開口部１０を開放させるように作用することにより、接続カン１４がフック１から抜けて、犬が逃亡する、というケースがまれに発生している。
【０００４】
本考案は、上記の課題を解決するために、リード１３に弛みができて、接続カン１４がフック先端部１ａをよじれ上がるようなことがあっても、開閉ロッド５が引き上がってフック１の開口部１０が開放することのないように改良したナスカンスナップを提供することを目的とする。
【課題を解決するための手段】
【０００５】
上記課題を解決するための手段を、後述する実施形態の参照符号を付して説明すると、請求項１に係る考案は、一端部にＣ字状のフック１を形成したナスカン本体２と、ナスカン本体２の他端部に頭部６ａ付き取付軸６によって取り付けられたリード連結用のリング３と、ナスカン本体２にその長手方向にスライド自在で回転自在に支持され、常時はバネ４により付勢されてロッド下端がＣ字状フック１の上向きに突出するフック先端部１ａに弾接されることによりふックの開口部１０を閉鎖する開閉ロッド５とからなり、前記フック１にＤカン等の接続カン１４を介して犬等のペットＰの首輪１５や胴輪を接続するようにしたナスカンスナップにおいて、
前記フック１の上向きに突出するフック先端部１ａには、フック１の開口部１０内へ横向きに突出する接続カン抜け出し防止用の障壁部１６を設けたことを特徴とする。
【０００６】
請求項２は、請求項１に記載のナスカンスナップにおいて、前記開閉ロッド５を前記接続カン抜け出し防止用の障壁部１６と同軸上に設けたことを特徴とする。
【０００７】
請求項３は、請求項１又は２に記載のナスカンスナップにおいて、前記取付軸６の頭部６ａと前記リング３の所要部に設けた軸挿通孔１２との間にワッシャー１８を介在させたことを特徴とする。
【０００８】
請求項４は、請求項１〜３の何れかに記載のナスカンスナップにおいて、前記取付軸６は、ナスカン本体２と一体に形成されたものからなることを特徴とする。
【０００９】
請求項５は、請求項１〜３の何れかに記載のナスカンスナップにおいて、前記取付軸６は、ナスカン本体２にねじ込まれるボルトからなることを特徴とする。
【考案の効果】
【００１０】
上記解決手段による考案の効果を、後述する実施形態の参照符号を付して説明すると、請求項１に係る考案のナスカンスナップＮによれば、フック１の先端部１ａに、フック１の開口部１０内へ横向きに突出する接続カン抜け出し防止用の障壁部１６が設けてあるから、このスナップＮのフック１を、接続カン１４を介してペットＰの首輪１５につないで係留したり散歩させたりする時に、犬Ｐがぐるぐる回るなどの回転運動をしてリード１３にある程度の弛みができて、接続カン１４が、図２の実線図示位置から仮想線図示のようにフック先端部１ａをよじれ上がろうとしても、この接続カン１４は、フック先端部１ａの障壁部１６に引っ掛かって開閉ロッド５側へ移動するのを阻止されるため、開閉ロッド５に対し引き上げ作用を及ぼすことがなくなり、従ってロッド５はロックされた状態にあって、開放されることがなく、ペットＰの逃亡を防ぐことができる。
【００１１】
請求項２に係る考案のナスカンスナップＮによれば、開閉ロッド５を接続カン抜け出し防止用の障壁部１６と同軸上に設けているから、万が一、接続カン１４が障壁部１６を越えて開閉ロッド５側へ移動するようなことがあっても、開閉ロッド５の突端部に干渉することがなく、従って開閉ロッド５に対し引き上げ作用を及ぼすことがない。
【００１２】
請求項３に係る考案のナスカンスナップによれば、前記取付軸６の頭部６ａと前記リング３の所要部に設けた軸挿通孔１２との間にワッシャー１８が介在されているから、ペットＰがぐるぐる回るなどの回転運動をして、ナスカン本体２が回転しても、取付軸６又は軸挿通孔１２の摩耗が軽減緩和され、それにより軸挿通孔１２からの取付軸６の抜け出しが阻止される。
【００１３】
請求項５に記載のように、前記取付軸６としては、図３に示すようにナスカン本体２と一体に形成したものでもよく、この場合、取付軸６の頭部６ａをナスカン本体２側の軸挿通孔１２より僅かに径小に形成し、またワッシャー１８としてはＣ型のものを使用し、取付にあたって、取付軸６を頭部６ａから軸挿通孔１２に挿通した後、Ｃ型のワッシャー１８を嵌め込めばよい。これによれば、ワッシャー１８の取り換え作業が容易となる。
【００１４】
請求項６に記載のように、前記取付軸６としては、図１及び図２に示すようにボルトからなるものでもよい。この場合、ボルトは、その頭部が軸挿通孔１２より径大のものでもよいし、径小のものでもよく、またワッシャー１８は、普通のリング型でもよいし、Ｃ型でもよい。
【図面の簡単な説明】
【００１５】
【図１】(a) は本考案に係るナスカンスナップの正面図、(b) は側面図である。
【図２】本考案に係るナスカンスナップの作用を説明する拡大説明図である。
【図３】(a) は取付軸がナスカン本体と一体に形成された場合のナスカンスナップの正面図、(b) は(a) のＸ−Ｘ線断面図である。
【図４】(a) は従来のナスカンスナップの正面図、(b) は側面図である。
【図５】従来のナスカンスナップの作用を説明する拡大説明図である。
【考案を実施するための形態】
【００１６】
以下に本考案の好適な一実施形態を図面に基づいて説明すると、図１の(a) は本考案に係るナスカンスナップの正面図、(b) は側面図であり、図２は同ナスカンスナップの作用を説明する説明図である。本考案に係るナスカンスナップＮは、その殆どが図４及び図５に示す従来のナスカンスナップ２０Ｎと同様であり、一端部にフック１を一体に形成したナスカン本体２と、このナスカン本体２の他端部にボルトからなる取付軸６によって回転自在に取り付けられたリード連結用リング３と、ナスカン本体２に長手方向にスライド自在で且つ回転自在に支持されていて、常時はコイルバネ４により付勢されてフック１の開口部１０を閉鎖する開閉ロッド５と、この開閉ロッド５に基軸部９を介して一体に突設されていて、その基軸部６がナスカン本体２に長手方向に形成されたガイド用スリット７に沿ってスライド自在のロッド開放操作用把手８とからなるもので、図示の状態からコイルバネ４の付勢力に抗して把手８で開閉ロッド５を押し上げることにより、フック１の開口部１０を開放させて、図２に示すように、Ｄカン（接続カン）１４を介してフック１に例えば犬の首輪１５を接続するようになっている。
【００１７】
本考案に係るナスカンスナップＮが従来のナスカンスナップ２０Ｎと異なるところは、前記フック１の上向きに突出するフック先端部１ａに、フック１の開口部１０内へ横向きに突出する接続カン抜け出し防止用の障壁部１６を設けたことである。
【００１８】
上記ナスカンスナップＮの構造について更に詳しく説明すれば、概ね円柱状のナスカン本体２にはそのほぼ中心軸線Ｇに沿ってロッドスライド孔１１が設けられ、このロッドスライド孔１１の上端部は閉塞され、下端部はフック１の開口部１０に開口している。このロッドスライド孔１１にはコイルバネ４が挿入された後、開閉ロッド５がスライド自在に嵌挿されると共に、ロッド開放操作用把手８の基軸部６がガイド用スリット７にスライド自在に挿入されるようになっている。
【００１９】
前記開閉ロッド５は、図１の(a) から分かるように、前記接続カン抜け出し防止用の障壁部１６と同軸上に設けられていて、図１の(a) に示すように、接続カン抜け出し防止用障壁部１６の内端部１６ａと開閉ロッド５の外側面とが面一状に位置している。
【００２０】
前記リード連結用リング３は、上枠部３ａと下枠３ｂと左右側枠部３ｃ，３ｃとからなるもので、下枠部３ｂの中央部に軸挿通孔１２が設けてあって、図１の(a) ，(b) で示すように、ボルトからなる取付軸６がその軸挿通孔１２より挿通されてナスカン本体２の他端部にねじ込まれると共に、ボルト頭部６ａとリング３側の軸挿通孔１２との間にワッシャー１８が介在されている。このワッシャー１８は、犬がぐるぐる回るなどの回転運動をしてナスカン本体２にねじ込まれた取付軸６が回転しても取付軸６及び又は軸挿通孔１２ができるだけ摩耗しないようにするための摩耗軽減用ワッシャーである。
【００２１】
また、このリード連結用リング３には上枠部３ａにリード（引き紐）１３の先端部が取り付けられている。
【００２２】
上記したようなナスカンスナップＮによれば、フック１の先端部１ａに、フック１の開口部１０内へ横向きに突出する接続カン抜け出し防止用の障壁部１６が設けてあるから、このスナップＮのフック１を、接続カン１４を介して犬Ｐの首輪１５につないで、係留したり散歩させたりする時に、犬Ｐがぐるぐる回るなどの回転運動をしてリード１３にある程度の弛みができて、接続カン１４が、図２の実線図示位置から仮想線図示のように、Ｃ字状フック１の上向きに突出するフック先端部１ａをよじれ上がろうとしても、この接続カン１４は、フック先端部１ａの障壁部１６に引っ掛かって、開閉ロッド５側へ移動するのを阻止されるため、開閉ロッド５に対し引き上げ作用を及ぼすことがなくなり、従ってロッド５はロックされた状態にあって、開放されることがなく、犬Ｐの逃亡を防ぐことができる。
【００２３】
しかも、この場合、開閉ロッド５が図２に示すように障壁部１６と同軸上に設けられていて、障壁部１６の内端部１６ａと開閉ロッド５の外側面とが面一状となっているから、万が一、接続カン１４が図２の仮想線図示位置から障壁部１６を越えて開閉ロッド５側へ移動するようなことがあっても、開閉ロッド５の突端部（下端部）に干渉することがなく、従って開閉ロッド５に対し引き上げ作用を及ぼすことがない。
【００２４】
また、このナスカンスナップＮによれば、リード連結用リング３をナスカン本体２に取り付けるための取付軸６（ボルト）は、リード連結用リング３に設けた軸挿通孔１２より挿通されてナスカン本体２の上端部にねじ込まれるが、この取付軸６の頭部６ａとナスカン本体２側の軸挿通孔１２との間にワッシャー１８が介在されているから、犬がぐるぐる回るなどの回転運動をして、ナスカン本体２にねじ込まれた取付軸６が回転しても、取付軸６（ボルト）及び又は軸挿通孔１２の摩耗が軽減緩和され、それによって軸挿通孔１２からの取付軸６の抜け出しが阻止される。
【００２５】
尚、ワッシャー１８が外れたり、変形している場合は、このワッシャー１８は摩耗しているため、新しいものと取り換えればよい。この場合、ワッシャー１８の取り換えは、ボルト６を取り外せばよいから、簡単に行なうことができる。
【００２６】
図３は取付軸６がナスカン本体２と一体に形成された場合の実施形態を示し、(a) はナスカンスナップの正面図、(b) は(a) のＸ−Ｘ線断面図である。即ち、一端部にＣ字状のフック１を形成したナスカン本体２の他端部に頭部６ａ付きの取付軸６が同軸一体に形成されたもので、取付軸６の頭部６ａは、リード連結用リング３に形成された軸挿通孔１２の内径より僅かに径小に形成され、この取付軸６の頭部６ａとリング３側の軸挿通孔１２との間にワッシャー１８が介挿されている。このワッシャー１８としては、Ｃ型のものが使用される。そしてリード連結用リング３をナスカン本体２の他端部に取り付けるには、このナスカン本体２の他端部から一体に突出する取付軸６を頭部６ａから軸挿通孔１２に挿通した後、Ｃ型ワッシャー１８を、取付軸６の頭部６ａとリング３側の軸挿通孔１２との間からワッシャー１８の開口が開くように変形させて取付軸６に対し嵌め込めばよい。これによれば、ワッシャー１８の取り換え作業が容易となる。尚、取付軸６としてボルトを使用する場合は、ボルトは、その頭部が軸挿通孔１２より径大のものでもよいし、径小のものでもよく、またワッシャー１８は、普通のリング型でもよいし、Ｃ型でもよい。
【符号の説明】
【００２７】
Ｎ          本考案のナスカンスナップ
１          フック
１ａ        上向きに突出するフックの先端部
２          ナスカン本体
３          リード連結用のリング
４          コイルバネ
５          開閉ロッド
６          取付軸
６ａ        取付軸の頭部
７          ガイド用スリット
８          ロッド開放操作用把手
１０        フックの開口部１０
１１        ロッドスライド孔
１２        軸挿通孔
１３        リード
１４        接続カン
１５        首輪
１６        接続カン抜け出し防止用の障壁部
２０Ｎ      従来のナスカンスナップ
【図１】
0003174476.tif 000003
【図２】
0003174476.tif 000004
【図３】
0003174476.tif 000005
【図４】
0003174476.tif 000006
【図５】
0003174476.tif 000007